(57)【要約】【課題】植物に対し斑なく均一に光を当てることができて、しかも電源ユニット等からの熱による植物に対する悪影響を防止することができる植物栽培装置を提供する。【解決手段】ＬＥＤ照明装置１９のＬＥＤ１９ｂが発光して、矢印Ｌで示すように仕切り板１３の上面に向かって照射される。仕切り板１３の上面側から入った光Ｌは仕切り板１３を透過して下面側から種々の方向へ拡散されて植物配置室１５へ出る。植物配置室１５の内面１５ａ、扉９、１１の内面９ａ、１１ａは光を反射しやすい材料によって構成されているので、多くの光が種々の方向へ反射される。従って、光Ｌは植物Ｐの葉全体に斑なく照射される。電源ユニット１９ａ等において発生した熱は照明配置室１７に放出される。照明配置室１７は空調装置２３の吹き出し口２３ｂから吹き出される冷気によって冷却される。【選択図】        図１
2012235750.tif 000002
【特許請求の範囲】
【請求項１】
内部に空間部を有する箱状の本体と、前記空間部と外部とを連通させる開口と、前記開口を閉鎖する状態と開放する状態に開閉可能な扉と、前記空間部に収容されるＬＥＤ照明装置と、前記空間部を冷却する冷却手段とを具備する植物栽培装置において、前記空間部をＬＥＤ照明装置が備えられる照明配置室と、栽培する植物が備えられる植物配置室とを仕切る仕切り板を備え、前記仕切り板は光を拡散する光拡散板であることを特徴とする植物栽培装置。
【請求項２】
請求項１に記載した植物栽培装置において、冷却手段は照明配置室と植物配置室の両方を冷却するものであることを特徴とする植物栽培装置。
【請求項３】
請求項１または２に記載した植物栽培装置において、植物配置室の内面と扉の内面は光を反射する材料によって構成されていることを特徴とする植物栽培装置。
【発明の詳細な説明】
【技術分野】
【０００１】
本発明は植物栽培装置に係り、特に発光ダイオード（ＬＥＤ）を搭載する植物栽培装置に関するものである。
【背景技術】
【０００２】
近年、植物栽培装置を用いて野菜等の植物を栽培することが行われている。この植物栽培装置は植物の生育に最も適した光、温度、水分・養分の供給等の条件を人工的に管理するものであり、天候に左右されることなく植物を栽培でき、また農薬を使用しなくても植物を病害虫から守ることができる等の多くの利点がある。
この種の植物栽培装置には特許文献１に記載された植物栽培用照明装置のようにＬＥＤを用いたものが使用される。ＬＥＤは消費電力が少なく、また長寿命である等の優れた特徴をもつ。
【先行技術文献】
【特許文献】
【０００３】
【特許文献１】特開２００９−２９１１８５号公報
【発明の概要】
【発明が解決しようとする課題】
【０００４】
しかしながら、ＬＥＤの光は指向性が高く、植物に光の当たらない部分ができやすいという問題がある。また、ＬＥＤ自体の発熱量は僅かであるものの、ＬＥＤに電力を供給するための電源ユニット等からはかなりの発熱があるため、植物の葉焼けや葉枯れ等が生じて、植物に悪影響を及ぼすおそれがある。
本発明は上記従来の問題点に着目して為されたものであり、植物に対し斑なく均一に光を当てることができて、しかも電源ユニット等からの熱による植物に対する悪影響を防止することができる植物栽培装置の提供を、その目的とする。
【課題を解決するための手段】
【０００５】
本発明は上記課題を解決するためになされたものであり、請求項１の発明は、内部に空間部を有する箱状の本体と、前記空間部と外部とを連通させる開口と、前記開口を閉鎖する状態と開放する状態に開閉可能な扉と、前記空間部に収容されるＬＥＤ照明装置と、前記空間部を冷却する冷却手段とを具備する植物栽培装置において、前記空間部をＬＥＤ照明装置が備えられる照明配置室と、栽培する植物が備えられる植物配置室とを仕切る仕切り板を備え、前記仕切り板は光を拡散する光拡散板であることを特徴とする植物栽培装置である。
【０００６】
請求項２の発明は、請求項１に記載した植物栽培装置において、冷却手段は照明配置室と植物配置室の両方を冷却するものであることを特徴とする植物栽培装置である。
【０００７】
請求項３の発明は、請求項１または２に記載した植物栽培装置において、植物配置室の内面と扉の内面は光を反射する材料によって構成されていることを特徴とする植物栽培装置である。
【発明の効果】
【０００８】
本発明の植物栽培装置によれば、植物に対し斑なく均一に光を当てることができる。しかも電源ユニット等からの熱による植物に対する悪影響を防止することが可能となる。
【図面の簡単な説明】
【０００９】
【図１】本発明の実施の形態に係る植物栽培装置の斜視図である。
【図２】図１の植物栽培装置の扉を省略した状態の正面図である。
【図３】図１のＡ−Ａ断面図である。
【発明を実施するための形態】
【００１０】
本発明の実施の形態に係る植物栽培装置１を図面にしたがって説明する。
符号３は本体を示し、この本体３は箱状に形成され、内部に空間部５を有している。また、本体３の前面には空間部５と外部とを連通させる開口７が形成されている。
符号９、１１は扉を示し、扉９、１１は開口７を閉鎖する状態と開放する状態に開閉できるようになっている。扉９、１１は研磨されたステンレススチール等によって構成され、光を反射しやすい材料によって構成されている。
【００１１】
空間部５には仕切り板１３が備えられ、この仕切り板１３によって空間部５は植物配置室１５と照明配置室１７とに仕切られている。仕切り板１３は光拡散板であり、上面側から入った光を透過して下面側から種々の方向へ拡散させて出す特性を有している。
光拡散板としては、例えばポリカーボネイトの基板表面に屈折機能をもたせる加工が施されたもの等が適用される。
植物配置室１５は仕切り板１３より下側の空間であり、照明配置室１７は仕切り板１３より上側の空間である。植物配置室１５の内面１５ａは研磨されたステンレススチール等によって構成され、光を反射しやすい材料によって構成されている。
【００１２】
照明配置室１７にはＬＥＤ照明装置１９は備えられており、このＬＥＤ照明装置１９は本体３の天板２１の裏面に固定されている。ＬＥＤ照明装置１９は電源ユニット１９ａとこの電源ユニット１９ａに取り付けられたＬＥＤ１９ｂとを有している。ＬＥＤ１９ｂは電源ユニット１９ａの下面に多数配列された状態で備えられており、真下を向いた姿勢で取り付けられている。
【００１３】
符号２３は冷却手段としての空調装置を示し、この空調装置２３は冷気と暖気を選択的に送ることができる。
空調装置２３には吹き出し口２３ａ、２３ｂ、吸い込み口２３ｃ、２３ｄが備えられている。吹き出し口２３ａ、吸い込み口２３ｃは植物配置室１５に配置され、吹き出し口２３ｂ、吸い込み口２３ｄは照明配置室１７に配置されている。空調装置２３は吹き出し口２３ａ、２３ｂのいずれか一方からのみ冷気、暖気及び冷却、加温のいずれも行わずに室温の空気を出すことも可能である。
【００１４】
植物配置室１５にはプランター２５が備えられ、このプランター２５には人工土壌Ｓが入れられており、この人工土壌Ｓに植物Ｐが植えられている。また、植物配置室１５には図示しない水分・養分供給装置が備えられており、この水分・養分供給装置によってプランター２５内の人工土壌Ｓに水分・養分供給されるようになっている。
【００１５】
次に、この植物栽培装置１の使用方法について説明する。
プランター２５の人工土壌Ｓに植えた植物Ｐに対し水分・養分供給装置により水分、養分が供給される。
また、ＬＥＤ照明装置１９のＬＥＤ１９ｂが発光して、図２において矢印Ｌで示すように仕切り板１３の上面に向かって照射される。前述のように仕切り板１３は光拡散板なので、上面側から入った光Ｌは仕切り板１３を透過して下面側から種々の方向へ拡散されて植物配置室１５へ出る。更に、光Ｌは植物配置室１５の内面１５ａ、扉９、１１の内面９ａ、１１ａ等に当たり反射する。前述のように植物配置室１５の内面１５ａ、扉９、１１の内面９ａ、１１ａは光を反射しやすい材料によって構成されているので、多くの光が種々の方向へ反射される。従って、光Ｌは植物Ｐの葉全体に斑なく照射される。
【００１６】
また、植物配置室１５内の空気が吸い込み口２３ｃから吸引され、冷却されて冷気となってから吹き出し口２３ａを通って冷気として吹き出され、植物配置室１５内が適温になるように冷却される。
ＬＥＤ照明装置１９の電源ユニット１９ａ等において発生した熱は照明配置室１７に放出されるが、照明配置室１７と植物配置室１５は仕切り板１３によって仕切られており、しかも照明配置室１７内の空気が吸い込み口２３ｄから吸引され、冷却されて冷気となってから吹き出し口２３ｂを通って冷気として吹き出される。これにより照明配置室１７は冷却されて、熱が植物配置室１５へ伝わるのが防止される。従って、植物配置室１５を適温に安定して保つことができる。
このように、植物栽培装置１では、植物配置室１５内の光、温度条件を植物Ｐにとって適切な状態に容易に保つことが可能である。
【００１７】
なお、空調装置２３は吹き出し口２３ａ、２３ｂのいずれか一方からのみ冷気、暖気及び冷却、加温のいずれも行わずに室温の空気を出すことも可能であるので、植物配置室１５の温度によっては室温の空気や暖気を吹き出す場合があるのは勿論である。また、照明配置室１７には冷気の他、室温の空気を吹き出す場合もある。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では植物配置室１５にプランター２５を１つ備える構成としたが、プランター２５を複数多段に備える構成としてもよい。この場合でもＬＥＤ１９ｂからの光Ｌは植物配置室１５の内面１５ａ、扉９、１１の内面９ａ、１１ａ等に当たって反射するので、多段に備えられたプランター２５内の植物Ｐの葉全体に斑なく照射される。
【産業上の利用可能性】
【００１９】
本発明は植物栽培装置の製造業、植物栽培装置を用いた農業に利用することが可能である。
【符号の説明】
【００２０】
１…植物栽培装置        ３…本体        ５…空間部
７…開口        ９、１１…扉        ９ａ、１１ａ…扉の内面
１３…仕切り版        １５…植物配置室        １５ａ…植物配置室の内面
１７…照明配置室        １９…ＬＥＤ照明装置
１９ａ…電源ユニット        １９ｂ…ＬＥＤ        ２１…本体の天板
２３……空調装置        ２３ａ…植物配置室側の空調装置の吹き出し口
２３ｂ…照明配置室側の空調装置の吹き出し口
２３ｃ…植物配置室側の空調装置の吸い込み口
２３ｄ…照明配置室側の空調装置の吸い込み口
２５…プランター        Ｓ…人工土壌          Ｐ…植物
Ｌ…ＬＥＤから発せられた光
【図１】
2012235750.tif 000003
【図２】
2012235750.tif 000004
【図３】
2012235750.tif 000005